(57)【特許請求の範囲】
【請求項１】
アクセスポイントをモバイル回線交換ネットワーク上の所定のノードに接続して相互に通信を行うゲートウェイ装置であって、
前記所定のノードは、前記ゲートウェイ装置を前記モバイル回線交換ネットワークの無線基地局制御装置（ＲＮＣ）に接続するとともに、前記モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置からなり、前記第２のゲートウェイ装置は、前記ＩＭＳネットワークからの信号を前記無線基地局制御装置（ＲＮＣ）で使用する回線プロトコルに変換して前記無線基地局制御装置（ＲＮＣ）及び前記ゲートウェイ装置に出力し、前記無線基地局制御装置（ＲＮＣ）と前記ゲートウェイ装置からの回線交換プロトコルの信号をＩＭＳネットワーク対応プロトコルに変換して前記ＩＭＳネットワークに出力し、
前記ゲートウェイ装置は、
前記アクセスポイントにはモバイル高速ネットワークを介して接続され、
前記アクセスポイントから、呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
前記無線基地局制御装置（ＲＮＣ）が前記第２のゲートウェイ装置に接続するときに使用する回線交換プロトコルと同一のプロトコルに変換して前記第２のゲートウェイ装置に出力し、
前記第２のゲートウェイ装置から、前記第２のゲートウェイ装置が前記無線基地局制御装置（ＲＮＣ）に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、ことを特徴とするゲートウェイ装置。
【請求項２】
音声信号に対して音声圧縮符号化方式を変換する変換部を有する、ことを特徴とする請求項１記載のゲートウェイ装置。
【請求項３】
前記アクセスポイントにはモバイル高速ネットワークを介して接続され、前記モバイル高速ネットワークとパケットのやりとりをするためにセキュリティ機能を強化する手段を含む、ことを特徴とする請求項１又は２に記載のゲートウェイ装置。
【請求項４】
前記アクセスポイントは、フェムトセル、ホームノードＢ（Ｈｏｍｅ  ＮｏｄｅＢ）、ホームイーノードＢ（Ｈｏｍｅ  ｅＮｏｄｅＢ）のうちの少なくとも１つを含む、ことを特徴とする請求項１乃至３のいずれか１項に記載のゲートウェイ装置。
【請求項５】
アクセスポイントと、
モバイル回線交換ネットワーク上の所定のノードと、
前記アクセスポイントを前記モバイル回線交換ネットワーク上の所定のノードに接続して相互に通信を行うゲートウェイ装置と、
を備えたネットワークシステムであって、
前記所定のノードは、前記ゲートウェイ装置を前記モバイル回線交換ネットワークの無線基地局制御装置（ＲＮＣ）に接続するとともに、前記モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置からなり、
前記第２のゲートウェイ装置は、前記ＩＭＳネットワークからの信号を前記無線基地局制御装置（ＲＮＣ）で使用する回線プロトコルに変換して前記無線基地局制御装置（ＲＮＣ）及び前記ゲートウェイ装置に出力し、前記無線基地局制御装置（ＲＮＣ）と前記ゲートウェイ装置からの回線交換プロトコルの信号をＩＭＳネットワーク対応プロトコルに変換して前記ＩＭＳネットワークに出力し、
前記ゲートウェイ装置は、前記アクセスポイントにはモバイル高速ネットワークを介して接続され、
前記ゲートウェイ装置は、前記アクセスポイントから、呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
前記無線基地局制御装置（ＲＮＣ）が前記第２のゲートウェイ装置に接続するときに使用する回線交換プロトコルと同一のプロトコルに変換して前記第２のゲートウェイ装置に出力し、
前記ゲートウェイ装置は、前記第２のゲートウェイ装置から、前記第２のゲートウェイ装置が前記無線基地局制御装置（ＲＮＣ）に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、ことを特徴とするネットワークシステム。
【請求項６】
前記アクセスポイントは、フェムトセル、ホームノードＢ（Ｈｏｍｅ  ＮｏｄｅＢ）、ホームイーノードＢ（Ｈｏｍｅ  ｅＮｏｄｅＢ）のうちの少なくとも１つを含む、ことを特徴とする請求項５記載のネットワークシステム。
【請求項７】
アクセスポイントを、モバイル回線交換ネットワーク上の所定のノードに接続して相互に通信を行うゲートウェイ装置によるゲートウェイ方法であって、
前記所定のノードは、前記ゲートウェイ装置を前記モバイル回線交換ネットワークの無線基地局制御装置（ＲＮＣ）に接続するとともに、前記モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置からなり、
前記第２のゲートウェイ装置は、前記ＩＭＳネットワークからの信号を前記無線基地局制御装置（ＲＮＣ）で使用する回線プロトコルに変換して前記無線基地局制御装置（ＲＮＣ）及び前記ゲートウェイ装置に出力し、前記無線基地局制御装置（ＲＮＣ）と前記ゲートウェイ装置からの回線交換プロトコルの信号をＩＭＳネットワーク対応プロトコルに変換して前記ＩＭＳネットワークに出力し、
前記ゲートウェイ装置は、前記アクセスポイントにはモバイル高速ネットワークを介して接続され、
前記ゲートウェイ装置は、前記アクセスポイントから、呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
前記無線基地局制御装置（ＲＮＣ）が前記第２のゲートウェイ装置に接続するときに使用する回線交換プロトコルと同一のプロトコルに変換して前記第２のゲートウェイ装置に出力し、
前記ゲートウェイ装置は、前記第２のゲートウェイ装置から、前記第２のゲートウェイ装置が前記無線基地局制御装置（ＲＮＣ）に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、ことを特徴とするゲートウェイ方法。
【請求項８】
前記アクセスポイントは、フェムトセル、ホームノードＢ（Ｈｏｍｅ  ＮｏｄｅＢ）、ホームイーノードＢ（Ｈｏｍｅ  ｅＮｏｄｅＢ）のうちの少なくとも１つを含む、ことを特徴とする請求項７記載のゲートウェイ方法。
【発明の詳細な説明】
【技術分野】
【０００１】
（関連出願についての記載）
本発明は、日本国特許出願：特願２００９−０３３０４５号（２００９年２月１６日出願）並びに日本国特許出願：特願２００９−０７４８８４号（２００９年３月２５日出願）の優先権主張に基づくものであり、同出願の全記載内容は引用をもって本書に組み込み記載されているものとする。【０００２】
本発明は、ゲートウェイ装置、方法、プログラムに関し、特に、フェムトセルやＨｏｍｅ  ＮｏｄｅＢやＨｏｍｅ  ｅＮｏｄｅＢ等のアクセスポイントをゲートウェイを介してモバイル回線交換ネットワーク上の交換機に接続し、アクセスポイント上のＶｏＩＰ音声とモバイル回線交換ネットワーク上の音声電話の相互接続を実現するための装置、方法、プログラムに関する。
【背景技術】
【０００３】
現在、第３世代のＷ−ＣＤＭＡ技術などをもちいる携帯電話端末及びモバイルネットワークでは、音声電話は、携帯電話からの信号を無線基地局で受け、さらに無線基地局制御装置（ＲＮＣ）でまとめ、これらを回線交換のプロトコルを使用してモバイル回線交換ネットワーク上の  回線交換機に接続し、音声電話サービスを実現している。【０００４】
一方、モバイルネットワークの高速・大容量技術の研究開発により、モバイルネットワークはＩＰをベースにして一層の高速化・大容量化を実現していく流れであり、現在すでに、
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、
ＨＳＰＡ（Ｈｉｇｈ  Ｓｐｅｅｄ  Ｐａｃｋｅｔ  Ａｃｃｅｓｓ）、
ＥＶＤＯ  Ｒｅｖ．Ａ、
ＥＶＤＯ  Ｒｅｖ．Ｂ、
等が実用化されている。【０００５】
今後は、さらに高速化が進展し、下り方向１００Ｍｂｐｓ（メガビット／秒）、上り方向５０Ｍｂｐｓ以上を目指すＬＴＥ（Ｌｏｎｇ  Ｔｅｒｍ  Ｅｖｏｌｕｔｉｏｎ）やＥＰＣ（Ｅｖｏｌｖｅｄ  Ｐａｃｋｅｔ  Ｃｏｒｅ）、ＵＭＡ（Ｕｌｔｒａ  Ｍｏｂｉｌｅ  Ａｃｃｅｓｓ）、モバイルＷｉＭａｘ（ＷｉＭａｘはＷｉＭａｘ  Ｆｏｒｕｍの商標）、等が導入されていく流れである。【０００６】
さらに、今後、宅内に、フェムトセル、Ｈｏｍｅ  ＮｏｄｅＢやＨｏｍｅ  ｅＮｏｄｅＢ等によるアクセスポイントを設置し、モバイル高速ネットワークを介して、家庭内や企業内の音声通話トラヒックをサポートしていく方向にある。【０００７】
これらフェムトセルやＨｏｍｅ  ＮｏｄｅＢやＨｏｍｅ  ｅＮｏｄｅＢ等のアクセスポイントの場合、それに接続される端末とはＶｏＩＰ（Ｖｏｉｃｅ  ｏｖｅｒ  ＩＰ）音声通信が  使用される。【０００８】
なお、ゲートウェイに関して、本件出願人側で行った先行技術文献サーチの結果サーチされた特許文献１には、第一ネットワークと、前記第一ネットワークと異なる信号フォーマットを使用する第二ネットワークとを接続するゲートウェイであって、前記第一ネットワークに接続された端末と前記第二ネットワークに接続された端末が通信する場合に、前記第一ネットワークで使用される信号を前記第二ネットワークで使用される信号へ変換し、前記第二ネットワークで使用される信号を前記第一ネットワークで使用される信号へ変換する変換部と、前記変換部が信号を変換する変換時間もしくは変換するデータ量の少なくともいずれかを含む変換処理情報を検出する検出部と、前記第一ネットワークもしくは前記第二ネットワークの少なくともいずれかと接続され、かつ、前記変換処理情報を、前記第一ネットワークもしくは前記第二ネットワークの課金システムに送信するネットワーク接続部と、を備え、前記変換部は、呼接続のシグナリングによる呼処理信号、音声コーディックによる音声信号、画像コーディックによる画像信号の少なくともいずれかを変換する、異種網接続ゲートウェイが開示されている。【０００９】
また特許文献２には、マルチメディア情報中継装置において、変換制御手段は、第１マルチメディア通信端末から入力されるマルチメディア情報を変換処理（符号化方式、符号化速度、多重パラメータ等の属性を変換）しなければ第２マルチメディア通信端末に提供することが不可能な場合にのみ、その変換処理内容が示された属性変換テーブルを保持し、映像変換手段および音声変換手段では、第１マルチメディア通信端末から入力されるマルチメディア情報に含まれる映像情報および音声情報を属性変換テーブルに示された変換処理内容に応じて変換処理して第２マルチメディア通信端末に提供するようにした構成が開示されている。【００１０】
またゲートウェイとして、特許文献３には、通信システム（ＳＹＳ）において、ＩＰｖ４プライベートネットワーク（ＩＰｖ４）、グローバルＩＰｖ４インターネット（ＩＮ）及びＩＰｖ６ネットワーク（ＧＶ６）が、第１の（ＡＧＷ）及び第２の（ＢＧＷ）ゲートウェイを通して相互接続され、ＩＰｖ４プライベートネットワーク（ＰＶ４）の第１の固定端末（Ａ１）からＩＰｖ６ネットワーク（ＧＶ６）の第２の固定端末（Ｂ）への通信を可能にするために、「ＩＰｖ４トンネル内ＩＰｖ６」がＩＰｖ４プライベートネットワーク（ＰＶ４）とグローバルＩＰｖ４インターネット（ＩＮ）を通してセットアップされ、第１の二重スタック端末（Ａ１）に割り当てられるグローバルＩＰｖ６アドレスに基づいて、第１（ＡＧＷ）ゲートウェイと第２（ＢＧＷ）ゲートウェイのマッピングテーブルがセットアップでき、第１の端末（Ａ１）と第２の端末（Ｂ）との間の通信で使用され、トンネルの使用は、特に第１の端末（Ａ１）から第２の端末（Ｂ）へ起動される通信のために仮想プライベートネットワーク（ＶＰＮ）の使用を回避する構成が開示されている。【００１１】
さらにサーバ、ゲートウェイによるセキュリティ管理に関して特許文献４には、通信ネットワークのアクセスゲートウェイにおけるデータパケットのダイナミック・フィルタリングとして、ポリシーサーバは、ネットワークノードからのネットワークを用いて登録に対する要求を受信し、サーバは、ネットワークノード同一性を検証し、ネットワークノードについて対応するセキュリティポリシーを選択し、選択されたセキュリティポリシーは、サーバによってネットワークアクセスゲートウェイに指示され、ネットワークアクセスゲートウェイは指示されたセキュリティポリシーを選択し、選択されたセキュリティポリシーは、ネットワークノードとネットワークとの間の通信に適用される構成が開示されている。【００１２】
上記引用文献１乃至４のいずれにも、フェムトセル、ＨＮＢ（Ｈｏｍｅ  ＮｏｄｅＢ：ホームノードＢ）やＨｅＮＢ（Ｈｏｍｅ  ｅＮｏｄｅＢ：ホームイーノードＢ）等のアクセスポイントを、モバイル回線交換ネットワークとＩＭＳネットワークを接続する第２のゲートウェイ装置に相互接続し、アクセスポイント上の音声通信とモバイル回線交換ネットワーク上の音声通信とＩＭＳネットワーク上の音声通信との間の相互接続を実現するためのゲートウェイの構成は開示されていない。上記特許文献１乃至４記載の発明はいずれも、後に説明される本発明とは全く相違している。
【先行技術文献】
【特許文献】
【００１３】
【特許文献１】特開２００４−２２２００９号公報
【特許文献２】特開２００５−０７２９７３号公報
【特許文献３】特表２００７−５２４２５７号公報
【特許文献４】特表２００８−５１２９５８号公報
【発明の概要】
【発明が解決しようとする課題】
【００１４】
以下に本発明による分析を与える。【００１５】
モバイルネットワークが全てＩＰ網になるまでの進化の過渡期においては、例えば、今後普及すると予想される、宅内あるいは企業内で、フェムトセルやＨｏｍｅ  ＮｏｄｅＢやＨｏｍｅ  ｅＮｏｄｅＢ等のアクセスポイントと接続してＶｏＩＰの動作をさせるＶｏＩＰ端末と、既存の回線交換ネットワーク上のＲＮＣや回線交換機と接続して動作する音声端末とが混在することになるため、既存の回線交換ネットワークでの音声電話と前記アクセスポイントでのＶｏＩＰ通信とを相互接続していく必要がある。【００１６】
しかしながら、現状では、これらの相互接続を可能にするためのゲートウェイ装置が存在せず、相互接続は実現困難であり、普及化にあたり課題があった。【００１７】
本発明の目的は、宅内などのアクセスポイントを、モバイル回線交換ネットワーク上の回線交換機に対し無線基地局制御装置（ＲＮＣ）のような動作をさせて接続させ、前記アクセスポイントに接続された端末と、前記回線交換機に接続された既存の端末との間で音声通話を実現することができるゲートウェイ装置、ネットワークシステム、方法を提供することにある。  【００１８】
また、本発明の他の目的は、フェムトセルアクセスポイント又はホームノードＢ（ＨＮＢ）又はホームイーノードＢ（ＨｅＮＢ）に接続された端末と、無線基地局制御装置（ＲＮＣ）を介して第２のゲートウェイ装置に接続された端末と、ＩＭＳネットワークを介して第２のゲートウェイ装置に接続された端末との間で音声通信の相互接続を実現することができるゲートウェイ装置、ネットワークシステム、方法を提供することにある。
【課題を解決するための手段】
【００１９】
本発明によれば、設置されたアクセスポイントをモバイル回線交換ネットワーク上の回線交換機に接続し音声通信を行うゲートウェイ装置であって、
前記アクセスポイントから、呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換して前記回線交換機に出力し、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、ゲートウェイ装置が提供される。【００２０】
本発明によれば、設置されたアクセスポイントをモバイル回線交換ネットワーク上の回線交換機に接続し音声通信を行うゲートウェイ方法であって、
前記アクセスポイントから、予め定められたプロトコルによる呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換し、
前記モバイル回線交換ネットワーク上の回線交換機に出力し、
前記モバイル回線交換ネットワーク上の回線交換機から、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、ゲートウェイ方法が提供される。【００２１】
本発明によれば、設置されたアクセスポイントをモバイル回線交換ネットワーク上の回線交換機に接続し音声通信を行うゲートウェイ装置を構成するコンピュータに、
前記アクセスポイントから、呼制御信号と、
音声データを予め定められたプロトコルまたはペイロードフォーマットにより格納したパケットと、
のうちの少なくとも一方を受信する処理と、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換して前記回線交換機に出力する処理と、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する処理とを実行させるプログラム及び該プログラムを記憶したコンピュータ読み出し可能な記録媒体が提供される。【００２２】
本発明によれば、フェムトセルアクセスポイント又はホームノードＢ又はホームイーノードＢを、モバイル回線交換ネットワークとＩＭＳネットワークとを相互接続する第２のゲートウェイ装置に接続するゲートウェイ装置であって、
前記アクセスポイント又は前記ホームノードＢ又は前記ホームイーノードＢから、
呼制御信号と、
音声データを予め定められたプロトコル又はペイロードフォーマットにより格納したパケットと、
のうちの少なくとも一方を受信し、
前記呼制御信号と、前記プロトコル又は前記ペイロードフォーマットと、
のうちの少なくとも一つに対し、変換の必要ありと判断される場合には、前記少なくとも一つに対して変換を行い、無線基地局制御装置（ＲＮＣ）が前記第２のゲートウェイ装置に接続するときに用いる回線交換プロトコルと同一のプロトコルにより、前記第２のゲートウェイ装置に出力し、
前記第２のゲートウェイ装置から、
前記第２のゲートウェイ装置が前記無線基地局制御装置（ＲＮＣ）に出力するときに用いるプロトコルと同一のプロトコルを使用した呼処理信号と、
前記同一のプロトコルを使用して格納された音声信号と、
のうちの少なくとも一方を入力し、
入力した前記呼制御信号と、前記音声信号のプロトコルとのうち少なくとも一つに対し、変換の必要ありと判断される場合には、少なくとも一つを変換した上で、前記アクセスポイント又は前記ホームノードＢ又は前記ホームイーノードＢに出力する、ゲートウェイ装置が提供される。【００２３】
本発明によれば、フェムトセルアクセスポイント又はホームノードＢ又はホームイーノードＢを、モバイル回線交換ネットワークとＩＭＳネットワークとを相互接続する第２のゲートウェイ装置に接続するゲートウェイ装置が、
前記アクセスポイント又は前記ホームノードＢ又は前記ホームイーノードＢから、
呼制御信号と、
音声データを予め定められたプロトコル又はペイロードフォーマットにより格納したパケットと、
のうちの少なくとも一方を受信し、
前記呼制御信号と、前記プロトコル又は前記ペイロードフォーマットと、
のうちの少なくとも一つに対し、変換の必要ありと判断される場合には、前記少なくとも一つに対して変換を行い、無線基地局制御装置（ＲＮＣ）が前記第２のゲートウェイ装置に接続するときに用いる回線交換プロトコルと同一のプロトコルにより、前記第２のゲートウェイ装置に出力し、
前記第２のゲートウェイ装置から、
前記第２のゲートウェイ装置が前記無線基地局制御装置（ＲＮＣ）に出力するときに用いるプロトコルと同一のプロトコルを使用した呼処理信号と、
前記同一のプロトコルを使用して格納された音声信号と、
のうちの少なくとも一方を入力し、
入力した前記呼制御信号と、前記音声信号のプロトコルとのうち少なくとも一つに対し、変換の必要ありと判断される場合には、少なくとも一つを変換した上で、前記アクセスポイント又は前記ホームノードＢ又は前記ホームイーノードＢに出力する、ゲートウェイ方法が提供される。【００２４】
本発明によれば、フェムトセルアクセスポイント又はホームノードＢ又はホームイーノードＢを、モバイル回線交換ネットワークとＩＭＳネットワークとを相互接続する第２のゲートウェイ装置に接続するゲートウェイ装置又はサーバ装置を構成するコンピュータに、
前記アクセスポイント又は前記ホームノードＢ又は前記ホームイーノードＢから、
呼制御信号と、
音声データを予め定められたプロトコル又はペイロードフォーマットにより格納したパケットと、
のうちの少なくとも一方を受信する処理と、
前記呼制御信号と、前記プロトコル又は前記ペイロードフォーマットと、
のうちの少なくとも一つに対し、変換の必要ありと判断される場合には、前記少なくとも一つに対して変換を行い、無線基地局制御装置（ＲＮＣ）が前記第２のゲートウェイ装置に接続するときに用いる回線交換プロトコルと同一のプロトコルにより、前記第２のゲートウェイ装置に出力する処理と、
前記第２のゲートウェイ装置から、
前記第２のゲートウェイ装置が前記無線基地局制御装置に出力するときに用いるプロトコルと同一のプロトコルを使用した呼処理信号と、
前記同一のプロトコルを使用して格納された音声信号と、
のうちの少なくとも一方を入力し、
入力した前記呼制御信号と、前記音声信号のプロトコルとのうち少なくとも一つに対し、変換の必要ありと判断される場合には、少なくとも一つを変換した上で、前記アクセスポイント又は前記ホームノードＢ又は前記ホームイーノードＢに出力する処理と、
を実行させるプログラム及び該プログラムを記憶したコンピュータ読み出し可能な記録媒体が提供される。
【発明の効果】
【００２５】
本発明によれば、宅内などに設置されたアクセスポイントをモバイル回線交換ネットワーク上の回線交換機に、本発明に係るゲートウェイを介して接続することにより、前記アクセスポイントに接続された端末と、前記回線交換機に接続された回線交換端末との間の相互接続を可能とし、音声通話を実現可能としている。【００２６】
本発明によれば、フェムトセルアクセスポイント又はホームノードＢ（ＨＮＢ）又はホームイーノードＢ（ＨｅＮＢ）に接続された端末と、無線基地局制御装置（ＲＮＣ）を介して第２のゲートウェイ装置に接続された端末と、ＩＭＳネットワークを介して第２のゲートウェイ装置に接続された端末との間で音声通信の相互接続を実現することを可能とする。
【図面の簡単な説明】
【００２７】
【図１】本発明の第１の実施例のネットワーク構成と接続形態を示す図である。
【図２】本発明の第１の実施例のゲートウェイ装置の構成を示す図である。
【図３】本発明の第２の実施例のゲートウェイ装置の構成を示す図である。
【図４】本発明の第３の実施例のネットワーク構成と接続形態を示す図である。
【図５】本発明の第３の実施例の第１のゲートウェイ装置の構成を示す図である。
【図６】本発明の第４の実施例の第１のゲートウェイ装置の構成の一例を示す図である。
【図７】本発明の第４の実施例の第２のゲートウェイ装置の構成を示す図である。
【発明を実施するための形態】
【００２８】
本発明の実施の形態の構成と動作について説明する。本発明のゲートウェイ装置は、宅内などに設置されたアクセスポイントをモバイル回線交換ネットワーク上の回線交換機に本発明を介して接続することにより、前記アクセスポイントに接続された端末と、前記回線交換機に接続された回線交換端末との間の相互接続を可能とし、音声通信を行う。本発明のゲートウェイ装置は、アクセスポイントから、
予め定められたプロトコルによる呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、予め定められた回線交換プロトコルに変換して、モバイル回線交換ネットワーク上の前記回線交換機に出力する。
【００２９】
本発明のゲートウェイ装置は、前記回線交換機から、予め定められた回線交換プロトコルによる呼処理信号と、予め定められた回線交換プロトコルによる音声信号と、
のうちの少なくとも一方を入力し、入力した前記呼処理信号と前記音声信号の少なくとも一方のプロトコルを変換した上で、モバイル高速ネットワーク上の前記アクセスポイントに出力する。以下、具体的な実施例に即して説明する。
【００３０】
＜実施例１＞
図１は、本発明の第１の実施例のゲートウェイ装置のネットワーク構成と接続形態を示す図である。図１において、携帯端末１２０は、モバイル回線交換ネットワーク１３０に接続される音声電話端末である。携帯端末１２０は既存の音声電話端末をそのまま使うことができる。携帯端末１２０は、モバイル回線交換ネットワーク１３０に接続され、無線基地局制御装置１３８を介して回線交換機１３５との間で呼制御信号と音声信号をやりとりする。携帯端末１２０は、回線交換による呼制御信号を、無線基地局制御装置１３８を介して、回線交換機１３５との間でやりとりし、音声コーデックとして、例えばＡＭＲ  （Ａｄａｐｔｉｖｅ  Ｍｕｌｔｉ−Ｒａｔｅ）音声コーデックを搭載し、音声信号を１２．２  ｋｂｐｓのビットレートで圧縮符号化して得たビットストリームを送受信するものとする。なお、ＡＭＲ音声コーデックの詳細は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）  ＴＳ２６．０９０規格等を参照することができる。
【００３１】
回線交換機１３５は、携帯端末１２０との間で、モバイル回線交換ネットワーク１３０で使用される呼処理信号、例えばＩＳＵＰ（Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）等をやりとりし、音声データとしてＡＭＲストリームをやりとりする。
【００３２】
また、回線交換機１３５は、ゲートウェイ装置１１０との間で、呼制御信号を例えばＩＳＵＰプロトコルを用いてやりとりし、ＡＭＲ音声ストリームを、ＩｕＵＰ  （Ｉｕ  Ｕｓｅｒ  Ｐｌａｎｅ）回線交換プロトコルに格納した形式でやりとりする。ここで、ＩｕＵＰプロトコルは３ＧＰＰ  ＴＳ２５．４１５規格等を参照することができる。
【００３３】
ゲートウェイ装置１１０は、モバイル回線交換ネットワーク１３０上の回線交換機１３５に接続し、例えば宅内に設置されたフェムトセルアクセスポイント１４５に対してモバイル高速ネットワーク１４０を介して接続し、フェムトセルアクセスポイント１４５を無線基地局制御装置（ＲＮＣ）１３８と同じ動作をさせるようにして、すなわち、ＲＮＣと同一のプロトコルに変換することにより、回線交換機１３５に接続する。これにより、携帯端末１２０による回線交換の音声通信と、携帯端末１５０によるＶｏＩＰ通信とを相互接続する。すなわち、呼制御信号のプロトコルと音声信号のプロトコルの少なくとも一方のプロトコルを変換することにより相互接続する。
【００３４】
図２は、図１のゲートウェイ装置１１０の構成を示す図である。図２を参照すると、ゲートウェイ装置１１０は、呼制御・変換部１６０と変換部１７０を備え、変換部１７０は、制御・解析部１７２とプロトコル変換部１７５とパケット化部１７６を備えている。
【００３５】
呼制御・変換部１６０は、モバイル回線交換ネットワーク１３０上の回線交換機１３５から受信した回線交換の呼制御信号（例えばＩＳＵＰ）をフェムトセルアクセスポイント１４５の呼制御信号（例えばＳＩＰ（Ｓｅｓｓｉｏｎ  Ｉｎｉｔｉａｔｉｏｎ  Ｐｒｏｔｏｃｏｌ）及びＳＤＰ（Ｓｅｓｓｉｏｎ  Ｄｅｓｃｒｉｐｔｉｏｎ  Ｐｒｏｔｏｃｏｌ）またはＧＴＰ−Ｃ等）に変換して、フェムトセルアクセスポイント１４５に出力する。ここで、ＳＩＰやＳＤＰについては、例えばＩＥＴＦ（Ｉｎｔｅｒｎｅｔ  Ｅｎｇｉｎｅｅｒｉｎｇ  Ｔａｓｋ  Ｆｏｒｃｅ）  ＲＦＣ（Ｒｅｑｕｅｓｔ  Ｆｏｒ  Ｃｏｍｍｅｎｔｓ）３２６１やＲＦＣ２３２７等をそれぞれ、参照できる。ＧＴＰはＧＰＲＳ（Ｇｅｎｅｒａｌｉｚｅｄ  Ｐａｃｋｅｔ  Ｒａｄｉｏ  Ｓｅｒｖｉｃｅ）  Ｔｕｎｎｅｌｉｎｇ  Ｐｒｏｔｏｃｏｌをいい、ＧＰＲＳコアネットワークで用いられるＩＰ上のプロトコルでＧＴＰ−ＣはＳＧＳＮ（Ｓｅｒｖｉｎｇ  ＧＰＲＳ  Ｓｕｐｐｏｒｔ  Ｎｏｄｅ）からＧＧＳＮ（Ｇａｔｅｗａｙ  ＧＰＲＳ  Ｓｕｐｐｏｒｔ  Ｎｏｄｅ）の間でセッションを開閉するためのプロトコル、ＧＴＰ−Ｕは加入者情報伝送用、ＧＴＰ’（ＧＴＰ  Ｐｒｉｍｅ）は課金データ伝送用である。
【００３６】
逆方向については、モバイル高速ネットワーク１４０上のフェムトセルアクセスポイント１４５から呼制御信号（例えばＳＩＰおよびＳＤＰまたはＧＴＰ−Ｃ等）を受信し、回線交換の呼制御信号のプロトコル（例えばＩＳＵＰ等）に変換して、モバイル回線交換ネットワーク１３０上の回線交換機１３５に出力する。
【００３７】
呼制御・変換部１６０は、モバイル回線交換ネットワーク１３０から入力した呼制御信号に含まれる情報と、モバイル高速ネットワーク１４０から入力したＳＩＰまたはＳＤＰに含まれる情報のうち、必要な情報を、チャネル（回線）毎に、変換部１７０に搭載された制御・解析部１７２に出力する。
【００３８】
制御・解析部１７２は、呼制御・変換部１６０からチャネル毎に前記情報を入力し、これらを比較し、プロトコル変換が必要であるが否かを判別する。
【００３９】
制御・解析部１７２は、変換が必要な場合に、どのような変換を行うかを規定した変換情報を、チャネル毎に、プロトコル変換部１７５に出力する。
【００４０】
プロトコル変換部１７５は、モバイル回線交換ネットワーク１３０上の回線交換機１３５からＩｕＵＰ回線交換プロトコルフレームを入力して、ＩＥＴＦ  ＲＦＣ３２６７で規定されるＲＴＰ（Ｒｅａｌｔｉｍｅ  Ｔｒａｎｓｐｏｒｔ  Ｐｒｏｔｏｃｏｌ）ペイロードフォーマットを構築する。
【００４１】
具体的には、まずＩｕＵＰプロトコルフレームに格納されている音声の圧縮符号化ビットストリームを読み出す。ここでは、音声の圧縮符号化ストリームはＡＭＲで圧縮符号化されたビットストリームであるとする。
【００４２】
さらに、プロトコル変換部１７５は、制御・解析部１７２から前記変換情報をチャネル毎に入力し、プロトコル変換が必要な場合には、前記ＡＭＲ圧縮符号化ビットストリームを、前記変換情報に従い、例えば、チャネル毎に、ＩＥＴＦ  ＲＦＣ３２６７で規定されるＲＴＰペイロードフォーマットヘッダを構築した上で、ペイロード部分に前記ＡＭＲ圧縮符号化ビットストリームを格納する。
【００４３】
ここで、ＡＭＲ音声圧縮符号化ビットストリームに含まれるフレームタイプ情報はビットレートを表すので、プロトコル変換部１７５は、ＲＦＣ３２６７のコーデックモードリクエスト（ＣＭＲ：  Ｃｏｄｅｃ  Ｍｏｄｅ  Ｒｅｑｕｅｓｔ）情報に変換する。さらにプロトコル変換部１７５は、ＲＦＣ３２６７の設定で必要なオクテットアラインや他のパラメータを、予め定められた設定値に設定する。
【００４４】
パケット化部１７６は、プロトコル変換部１７５から前記ＲＴＰペイロードフォーマット情報を入力し、ＲＴＰパケットのペイロード部に格納した上でＲＴＰ／ＵＤＰ（Ｕｓｅｒ  Ｄａｔａｇｒａｍ  Ｐｒｏｔｏｃｏｌ）／ＩＰパケットを出力する。
【００４５】
逆方向（モバイル高速ネットワーク１４０上のフェムトセルアクセスポイント１４５からモバイル回線交換ネットワーク１３０上の回線交換機１３５の方向）の接続は、上記の説明と逆のパスをたどって変換を行ない、フェムトセルアクセスポイント１４５と回線交換機１３５との相互接続を行う。すなわち、パケット化部１７６は、フェムトセルアクセスポイント１４５から、音声データを予め定められたプロトコルまたはペイロードフォーマットにより格納したＲＴＰ／ＵＤＰ／ＩＰパケットを受信してデパケット化し、プロトコル変換部１７５は、該パケットのプロトコルまたはペイロードフォーマットを回線交換プロトコルに変換してモバイル回線交換ネットワーク１３０上の回線交換機１３５に出力する。
【００４６】
携帯端末１５０は、ＩＰベースのモバイル高速ネットワーク１４０（例えばＬＴＥやＥＰＣやＵＭＡやＨＳＤＰＡやＨＳＰＡやモバイルＷｉＭａｘ等）上のフェムトセルアクセスポイント１４５に接続されるＶｏＩＰ音声端末を示している。
【００４７】
携帯端末１５０は、例えばＡＭＲ音声コーデックを搭載し音声信号を例えば１２．２ｋｂｐｓのビットレートで圧縮符号化してビットストリームを生成する。
【００４８】
携帯端末１５０は、さらに前記ビットストリームをＲＴＰパケットに格納し、ＲＴＰパケットを生成した上でモバイル高速ネットワーク１４０上のフェムトアクセスポイント１４５に接続し、前記ＲＴＰパケットをＵＤＰ／ＩＰ上で送受信する。
【００４９】
ここで、ＡＭＲビットストリームをＲＴＰパケット化する場合に、ＲＴＰペイロードフォーマットが必要である。ＲＴＰペイロードフォーマットについては、例えば、ＩＥＴＦ  ＲＦＣ３２６７規格を参照することができる。
【００５０】
また、このようなＶｏＩＰ端末の音声通信機能の詳細については、例えば３ＧＰＰ  ＴＳ２６．１１４規格を参照することができる。
【００５１】
上記実施例において、音声の圧縮符号化ビットストリームの生成に使用する音声コーデックは、前記したＡＭＲ以外にＡＭＲ−ＷＢやＧ．７１１等、他の周知なコーデックを使用することができる。
【００５２】
また、フェムトセルアクセスポイント１４５から送受信される、音声圧縮符号化ストリームを格納するプロトコルは他の周知なプロトコル、例えば、ＧＴＰ−Ｕ（ＧＰＲＳ  Ｔｕｎｎｅｌｉｎｇ  Ｐｒｏｔｏｃｏｌ．Ｕｓｅｒ）等を用いることもできる。
【００５３】
また、変換部１７０の外側のモバイル高速ネットワーク１４０側にセキュリティ変換部を追加し、パケット化したＩＰパケットに対し例えばＩＰｓｅｃ等によるセキュリティ処理を行うこともできる。
【００５４】
また、制御・解析部１７２を変換部１７０の中に配置したが、呼制御・変換部１６０の中に配置することもできる。
【００５５】
さらに、呼制御・変換部１６０と変換部１７０は、各々の別の装置に分離して実現することもできる。このような構成の場合は、呼制御・変換装置１６０と変換装置１７０の間の制御信号のやりとりには、例えば、ＩＴＵ−Ｔ  Ｈ．２４８  ＭＥＧＡＣＯ（Ｍｅｄｉａ  Ｇａｔｅｗａｙ  Ｃｏｎｔｒｏｌ）プロトコルを使用することができる。
【００５６】
また、アクセスポイントとしては、上記実施例に記載したフェムトセルのみならず、ＨＮＢ（Ｈｏｍｅ  ＮｏｄｅＢ）、ＨｅＮＢ（Ｈｏｍｅ  ｅ−ＮｏｄｅＢ）、Ｗｉｍａｘ等を使用することができる。
【００５７】
なお、上記実施例において、ゲートウェイ装置１１０の呼制御・変換部１６０、変換部１７０の各部は、ゲートウェイ装置１１０を構成するコンピュータ上で実行されるコンピュータプログラムによりその機能・処理を実現するようにしてもよいことは勿論である。
【００５８】
＜実施例２＞
次に、本発明の第２の実施例について説明する。図３は、本発明の第２の実施例の構成を示す図である。図３において、図２と同一の要素には、同一の参照番号が付されている。以下では、図２の前記実施例と同一要素の説明は省略し、相違点について説明する。
【００５９】
図３において、携帯端末１２０と携帯端末１５０に搭載する音声コーデックが異なるので、ゲートウェイ装置１１０において、プロトコルの変換に加えて、音声符号化方式も変換する。
【００６０】
制御・解析部１８０は、呼制御・変換部１６０から入力した情報を解析し、端末間で音声符号化方式（音声コーデック）が異なる場合は、各チャネルで、プロトコル変換だけでなく、音声符号化方式（音声コーデック）の変換もするように、プロトコル変換部２００と音声トランスコーダ１９０の両者に変換指示を出す。
【００６１】
音声トランスコーダ１９０は、制御・解析部１８０からの変換指示にもとづき、音声符号化方式（音声コーデック）の変換を行う。
【００６２】
本実施例では、例えば、モバイル回線交換ネットワーク１３０側の端末１２０にはＡＭＲが搭載され、モバイル高速ネットワーク１４０側の端末１５０にはＧ．７１１が搭載されている場合を想定する。この場合、音声トランスコーダ１９０はＡＭＲとＧ．７１１の間の音声符号化方式（音声コーデック）の変換を実施する。
【００６３】
プロトコル変換部２００は、制御・解析部１８０からの変換指示にもとづき、プロトコルの変換を行う。例えば、モバイル回線交換ネットワーク１３０上の交換機１３５に対しては、ＩｕＵＰ回線交換プロトコルに変換し、モバイル高速ネットワーク１４０上のフェムトセルアクセスポイント１４５に対しては、例えばＲＴＰプロトコルに変換する。ここで、Ｇ．７１１の場合は、前記第１の実施例で述べた、ＡＭＲの場合のようなＲＴＰペイロードフォーマットは不要であり、ＲＴＰヘッダ部に、Ｇ．７１１であることを識別するための予め規格で定められたペイロードタイプ番号を書き込むのみでよい。
【００６４】
なお、本実施例において、音声符号化ビットストリームの生成に使用する音声コーデックは、前記したＡＭＲやＧ．７１１以外に、他の周知なコーデックを使用することができる。
【００６５】
また、フェムトセルアクセスポイント１４５から送受信される、音声圧縮符号化ストリームを格納するプロトコルは他の周知なプロトコル、例えば、ＧＴＰ−Ｕ等を用いることもできる。さらに、フェムトセルアクセスポイント１４５から送受信される、音声圧縮符号化ストリームを格納するプロトコルは他の周知なプロトコル、例えば、ＧＴＰ−Ｕ等を用いることもできる。
【００６６】
また、変換部１７０の外側のモバイル高速ネットワーク１４０側にセキュリティ変換部を追加し、パケット化したＩＰパケットに対して、例えばＩＰパケットを暗号化して送受するＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）等によるセキュリティ処理を行うこともできる。
【００６７】
本実施例では、制御・解析部１８０を変換部２５０の中に配置したが、呼制御・変換部１６０の中に配置することもできる。
【００６８】
さらに、本実施例では、呼制御・変換部１６０と変換部２５０は、おのおの別の装置に分離して配置させることもできる。このような構成の場合は、呼制御装置１６０と変換装置２５０の間の制御信号のやりとりは、例えば、ＩＴＵ−Ｔ  Ｈ．２４８  ＭＥＧＡＣＯプロトコルを使用することができる。
【００６９】
また、アクセスポイントとしては、上記実施例に示したフェムトセルのみならず、ＨＮＢ（Ｈｏｍｅ  ＮｏｄｅＢ）、ＨｅＮＢ（Ｈｏｍｅ  ｅ−ＮｏｄｅＢ）、Ｗｉｍａｘ等を使用することができる。上記第２の実施例において、ゲートウェイ装置１１０の呼制御・変換部１６０、変換部２５０の各部は、ゲートウェイ装置１１０を構成するコンピュータ上で実行されるコンピュータプログラムによりその機能・処理を実現するようにしてもよいことは勿論である。
【００７０】
本発明によれば、宅内などに設置されたアクセスポイントをモバイル回線交換ネットワーク上の回線交換機に、本発明に係るゲートウェイ装置を介して接続することにより、前記アクセスポイントに接続された端末と、前記回線交換機に接続された回線交換端末との間の相互接続を可能とし、音声通話を実現可能としている。すなわち、モバイル回線交換ネットワーク上の回線交換機に接続された端末と、モバイル高速ネットワーク上のアクセスポイントに接続されたＶｏＩＰ端末との間の相互接続を可能にし、端末を改造することなく、音声通信の相互接続を実現することができる。
【００７１】
また、本発明によれば、前記端末同士で音声の圧縮符号化方式が異なる場合であっても、ゲートウェイ装置で音声圧縮符号化方式も変換することにより、端末を改造することなく、音声通信の相互接続を実現することができる。
【００７２】
さらに、本発明によれば、ゲートウェイ装置内のパケット化処理のモバイル高速ネットワーク側にセキュリティ処理を追加することにより、アクセスポイントとゲートウェイの間をやりとりするパケットのセキュリティ機能を強化し安全かつ信頼性能高い通信を実現することができる。
【００７３】
＜別の実施形態＞
本発明のさらに別の実施の形態の構成と動作について説明する。本発明において、ゲートウェイ装置は、宅内等に設置されたアクセスポイント又はＨＮＢ又はＨｅＮＢを、モバイル回線交換ネットワークとＩＭＳネットワークとを相互接続するためのゲートウェイ装置（第２のゲートウェイ装置）に対し、ＲＮＣのような動作をさせて接続させ、アクセスポイント又はＨＮＢ又はＨｅＮＢに接続された端末と、ＲＮＣを介して前記第２のゲートウェイ装置に接続された端末と、前記ＩＭＳネットワークを介して前記第２のゲートウェイ装置に接続された端末との間で、音声通信の相互接続を実現する。
【００７４】
本発明において、ゲートウェイ装置は、フェムトセルアクセスポイント又はＨＮＢ又はＨｅＮＢから、モバイル高速ネットワークによるベアラ（例えばＩＰベアラ）上に、あらかじめ定められたプロトコルによる呼制御信号と、音声データを予め定められたプロトコル又はペイロードフォーマットにより格納したパケットと、のうちの少なくとも一方を受信し、前記呼制御信号のプロトコルと、前記パケットのプロトコル又はペイロードフォーマットと、のうち、必要な場合は、少なくとも一方をモバイル回線交換プロトコルに変換して、前記第２のゲートウェイ装置に出力する。
【００７５】
本発明において、ゲートウェイ装置は、前記第２のゲートウェイ装置から、回線交換プロトコルによる呼処理信号と、回線交換プロトコル（例えば、ＩｕＵＰ）による音声信号と、のうちの少なくとも一方を入力し、必要な場合は、少なくとも一方を、変換した上で、モバイル高速ネットワークによるベアラ（例えば、ＩＰ）に載せた上で、モバイル高速ネットワークに接続されたフェムトセルアクセスポイント又はＨＮＢ又はＨｅＮＢに出力する。
【００７６】
ここで、本発明によるゲートウェイ装置とフェムトセル又はＨＮＢ又はＨｅＮＢとの間の呼制御信号は、
（Ａ）回線交換の呼制御信号をそのまま用いてモバイル高速ネットワークのベアラ（例えばＩＰベアラ）で転送する場合と、
（Ｂ）ＶｏＩＰで使用されるＳＩＰ（Ｓｅｓｓｉｏｎ  Ｉｎｉｔｉａｔｉｏｎ  Ｐｒｏｔｏｃｏｌ）を使用してこれをモバイル高速ネットワークのベアラで転送する場合の２種類の形態が考えられるが、以下の説明では、前者（Ａ）について説明するが、後者（Ｂ）についても同様の構成により実現可能である。
【００７７】
本発明によるゲートウェイ装置と前記フェムトセル、又はＨＮＢ又はＨｅＮＢとの間の音声信号は、
（Ｃ）回線交換のプロトコルであるＩｕＵＰ（Ｉｕ  Ｕ−Ｐｌａｎｅ）をそのまま使用してモバイル高速ネットワークのベアラ（例えばＩＰベアラ）で転送する場合と、
（Ｄ）ＶｏＩＰで使用されるＲＴＰ（Ｒｅａｌ−ｔｉｍｅ  Ｔｒａｎｓｆｅｒ  Ｐｒｏｔｏｃｏｌ）プロトコルを使用しこれをモバイル高速ネットワークのベアラで転送する場合と、
（Ｅ）両者を組み合わせた構成、つまり、ＩｕＵＰをそのまま使用しかつＲＴＰプロトコルを用いてモバイル高速ネットワークのベアラで  転送する場合の、３種類の形態が考えられるが、以下の説明では、（Ｅ）について説明する。なお、（Ｃ）、（Ｄ）についても同様の構成により実現可能である。これらをふまえて、以下、具体的な実施例に即して説明する。なお、上記以外の組み合わせは、説明を省略するが、本発明により実現できることは言うまでもない。
【００７８】
＜実施例３＞
図４は、本発明の第３の実施例のゲートウェイ装置のネットワーク構成と接続形態を示す図である。図４において、携帯端末１２０は、モバイル回線交換ネットワークに接続される音声電話端末である。
【００７９】
特に制限されないが、携帯端末１２０は既存の音声電話端末をそのまま使うことができる。携帯端末１２０は、モバイル回線交換ネットワーク１３０に接続され、無線基地局１３２、無線基地局制御装置（ＲＮＣ）１３８を介して、第２のゲートウェイ装置１３９との間で呼制御信号と音声信号をやりとりする。携帯端末１２０は、音声コーデックとして、例えばＡＭＲ（Ａｄａｐｔｉｖｅ  Ｍｕｌｔｉ−Ｒａｔｅ）音声コーデックを搭載し、音声信号を１２．２  ｋｂｐｓのビットレートで圧縮符号化して得たビットストリームを送受信するものとする。なお、ＡＭＲ音声コーデックの詳細は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＴＳ２６．０９０規格等を参照することができる。
【００８０】
第２のゲートウェイ装置１３９は、「拡張ＭＳＣ（Ｍｏｂｉｌｅ  Ｓｗｉｔｃｈｉｎｇ  Ｃｅｎｔｅｒ）サーバ（ｅＭＳＣサーバ）」とも呼ばれる。第２のゲートウェイ装置１３９は、携帯端末１２０との間で、モバイル回線交換ネットワーク１３０で使用される呼処理信号、例えばＩＳＵＰ（Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ）等をやりとりし、音声データとして、ＡＭＲストリームをやりとりする。
【００８１】
第２のゲートウェイ装置１３９は、モバイル回線交換ネットワーク１３０とＩＭＳネットワーク１３１とを相互接続するために、ＩＳＵＰ呼処理信号をＳＩＰに変換し、ＩＭＳネットワークに出力する。
【００８２】
逆方向として、第２のゲートウェイ装置１３９は、ＩＭＳネットワーク１３１からＳＩＰ信号を受信したときは、ＩＳＵＰ等に変換し、無線基地局制御装置（ＲＮＣ）１３８と第１のゲートウェイ装置１１０に出力する。
【００８３】
第１のゲートウェイ装置１１０は、モバイル高速ネットワーク１４０に接続されるフェムトセルアクセスポイント又はＨＮＢ又はＨｅＮＢ１４５が、第２のゲートウェイ装置１３９からみて、無線基地局制御装置（ＲＮＣ）１３８と同じ動作にみえるように、前記アクセスポイント又はＨＮＢ又はＨｅＮＢ１４５が出力するプロトコルを、必要であれば、ＲＮＣ１３８が出力するプロトコルと同一のプロトコルに変換することにより、第２のゲートウェイ装置１３９に接続する。
【００８４】
これにより、携帯端末１２０による回線交換の音声通信と、携帯端末１５０による音声通信と、ＩＭＳネットワーク１３１を介して接続される携帯端末１５５との間を相互接続することができる。
【００８５】
すなわち、第１のゲートウェイ装置１１０は、フェムトセルアクセスポイント又はＨＮＢ又はＨｅＮＢ１４５との間で、呼制御信号として、回線交換のプロトコルをＩＰのベアラに載せてやりとりし、第２のゲートウェイ装置１３９との間では、呼制御信号として、例えばＩＳＵＰプロトコルを用いてやりとりする。
【００８６】
次に、第１のゲートウェイ装置１１０は、フェムトセルアクセスポイント又はＨＮＢ又はＨｅＢ１４５との間で、音声信号としては、ＡＭＲ音声ストリームをＩｕＵＰ（Ｉｕ  Ｕｓｅｒ  Ｐｌａｎｅ）回線交換プロトコルに格納し、これをＲＴＰパケットに載せ、モバイル高速ネットワーク１４０のベアラ（例えばＩＰベアラ）により、パケットをやりとりする。ここで、ＩｕＵＰプロトコルは３ＧＰＰ  ＴＳ２５．４１５規格や、ＴＳ２６．１０２等を参照することができる。
【００８７】
一方、第１のゲートウェイ装置１１０と第２のゲートウェイ装置１３９との間は、次に、第１のゲートウェイ装置１１０は、ＩｕＵＰプロトコル及び該プロトコルフレームに格納されたＡＭＲストリームを取り出し、これらを回線交換のベアラ（例えばＡＴＭ（Ａｓｙｎｃｈｒｏｎｏｕｓ  Ｔｒａｎｓｆｅｒ  Ｍｏｄｅ）又はＴＤＭ（Ｔｉｍｅ  Ｄｉｖｉｓｉｏｎ  Ｍｕｌｔｉｐｌｅｘｉｎｇ））に載せて第２のゲートウェイ装置１３９との間でやりとりする。
【００８８】
図５は、図４のゲートウェイ装置１１０の構成を示す図である。図５を参照すると、第１のゲートウェイ装置１１０は、呼制御・変換部１６０と変換部１７０を備え、変換部１７０は、制御・解析部１７２とプロトコル変換部１７５とパケット送信、パケット受信部１７６を備えている。
【００８９】
呼制御・変換部１６０は、第２のゲートウェイ装置１３９から、回線交換のベアラ（例えばＡＴＭ又はＴＤＭ）により受信した回線交換の呼制御信号（例えばＩＳＵＰ）を、モバイル高速ネットワーク１４０のベアラ（例えばＩＰベアラ）に載せ換える処理を行った上で、フェムトセルアクセスポイント又はＨＮＢ又はＨｅＮＢ１４５に出力する。ベアラの載せ換え処理を行うときに、必要であれば、ＩＰレベルでＩＰＳｅｃ等による暗号化を施すこともできる。
【００９０】
逆方向については、モバイル高速ネットワーク１４０上のフェムトセルアクセスポイント又はＨＮＢ又はＨｅＮＢ１４５から、回線交換の呼制御信号（例えばＩＳＵＰ）を、ＩＰベアラにより受信し、必要であれば、ＩＰＳｅｃの復号処理を行った上で、呼制御信号を回線交換のベアラ（例えばＡＴＭ（Ａｓｙｎｃｈｒｏｎｏｕｓ  Ｔｒａｎｓｆｅｒ  Ｍｏｄｅ）又はＴＤＭ（Ｔｉｍｅ  Ｄｉｖｉｓｏｎ  Ｍｕｌｔｉｐｌｅｘ））に載せ換える処理を行い、第２のゲートウェイ装置１３９にむけ出力する。
【００９１】
呼制御・変換部１６０は、第２のゲートウェイ装置１３９から入力した呼制御信号に含まれる情報と、フェムトセルアクセスポイント又はＨＮＢ又はＨｅＮＢ１４５から入力した呼制御信号に含まれる情報のうち、必要な情報を、チャネル（回線）毎に、変換部１７０の中にある制御・解析部１７２に出力する。
【００９２】
制御・解析部１７２は、呼制御・変換部１６０から、チャネル毎に、前記情報を入力し、これらを比較し、音声信号に対するプロトコル変換が必要か否かを判別する。
【００９３】
制御・解析部１７２は、プロトコル変換が必要ない場は、必要ない旨の指示を、チャネル毎に、プロトコル変換部１７５に出力する。
【００９４】
プロトコル変換部１７５は、第２のゲートウェイ装置１３９から、回線交換プロトコルであるＩｕＵＰ回線交換プロトコルフレームを入力して、変換がないので、ＩｕＵＰフレームをそのままＲＴＰ／ＵＤＰに載せる処理を行う。
【００９５】
一方、変換が必要な場合は、プロトコル変換部１７５は、制御・解析部１７２から、チャネル毎に、変換指示を受け取り、回線交換プロトコルであるＩｕＵＰフレームを、ＩＥＴＦ  ＲＦＣ３２６７で規定されるＲＴＰ（Ｒｅａｌｔｉｍｅ  Ｔｒａｎｓｐｏｒｔ  Ｐｒｏｔｏｃｏｌ）ペイロードフォーマットに変換する。具体的には、まずＩｕＵＰプロトコルフレームのペイロード部のＲＡＢ（Ｒａｄｉｏ  Ａｃｃｅｓｓ  Ｂｅａｒｅｒ）  ＳｕｂＦｌｏｗに格納されている音声の圧縮符号化ビットストリームを読み出す。ここでは、音声の圧縮符号化ストリームはＡＭＲで圧縮符号化されたビットストリームであるとする。
【００９６】
さらに、プロトコル変換部１７５は、前記ＡＭＲ圧縮符号化ビットストリームを、前記変換指示に従い、例えば、チャネル毎に、ＩＥＴＦ  ＲＦＣ３２６７で規定されるＲＴＰペイロードフォーマットヘッダを構築した上で、ＲＴＰペイロード部分に前記ＡＭＲ圧縮符号化ビットストリームを格納する処理を行う。
【００９７】
ここで、ＡＭＲ音声圧縮符号化ビットストリームに含まれるフレームタイプ情報はビットレートを表すので、プロトコル変換部１７５は、フレームタイプ情報を、ＲＦＣ３２６７のコーデックモードリクエスト（ＣＭＲ：  Ｃｏｄｅｃ  Ｍｏｄｅ  Ｒｅｑｕｅｓｔ）情報に設定する。さらに、プロトコル変換部１７５は、ＲＦＣ３２６７の設定で必要なオクテットアラインや他のパラメータを、予め定められた設定値に設定する。
【００９８】
パケット送信、パケット受信部１７６は、プロトコル変換部１７５から、変換が必要ない場合は、ＲＴＰパケットを入力し、変換が必要な場合は前記ＲＴＰペイロードフォーマット情報及びＡＭＲ音声圧縮符号化ストリームを入力し、これらをＲＴＰパケットのペイロード部に格納した上で、ＲＴＰ／ＵＤＰ（Ｕｓｅｒ  Ｄａｔａｇｒａｍ  Ｐｒｏｔｏｃｏｌ）パケットをモバイル高速ネットワークのベアラであるＩＰベアラに載せてフェムトセルアクセスポイント又はＨＮＢ又はＨｅＮＢ１４５に出力する。
【００９９】
逆方向（フェムトセルアクセスポイント又はＨＮＢ又はＨｅＮＢ１４５から第２のゲートウェイ装置１３９の方向）の接続は、上記の説明と逆のパスをたどって変換を行ない、第１のゲートウェイ装置１１０は、フェムトセルアクセスポイント又はＨＮＢ又はＨｅＮｂ１４５と第２のゲートウェイ装置１３９との相互接続を行う。
【０１００】
すなわち、パケット送信、パケット受信部１７６は、フェムトセルアクセスポイント又はＨＮＢ又はＨｅＮＢ１４５から、ＭＲ圧縮符号化ストリームを格納したＲＴＰパケット又は、ＡＭＲ圧縮ストリームをＲＴＰペイロードフォーマットにより格納したＲＴＰパケットを、モバイル高速ネットワークによるＩＰベアラにより受信し、ＲＴＰパケットヘッダ又はＲＴＰペイロードフォーマットヘッダを読んで、ＲＴＰペイロード部に格納されたＩｕＵＰプロトコルフレーム又はＡＭＲ音声圧縮符号化ストリームを取り出し、プロトコル変換部１７５に出力する。
【０１０１】
プロトコル変換部１７５は、制御・解析部１７２から変換なしの指示を得ている場合には、ＲＴＰヘッダを読み、ＲＴＰペイロードに格納されているＩｕＵＰプロトコル情報を取り出し、当該情報を回線交換のベアラ（例えばＡＴＭやＴＤＭ）に載せて、第２のゲートウェイ装置１３９に出力する。
【０１０２】
プロトコル変換部１７５は、制御・解析部１７２から変換ありの指示を得ている場合は、フェムトセルアクセスポイント又はＨＮＢ又はＨｅＮＢ１４５から受信した、ＲＴＰペイロードフォーマットヘッダのＣＭＲ等を読み出し、これに基づき、ＩｕＵＰ回線交換プロトコルフレームを組み立て、ＲＴＰペイロード部から読み出したＡＭＲ圧縮符号化ストリームを、ＩｕＵＰペイロード部のＲＡＢ  ＳｕｂＦｌｏｗに格納し、回線交換ベアラに載せて、モバイル回線交換ネットワーク１３０上の第２のゲートウェイ装置１３９に向けて出力する。
【０１０３】
図４に戻って、携帯端末１５５は、ＩＭＳネットワーク１３１に接続される音声端末を示している。
【０１０４】
携帯端末１５５は、例えばＡＭＲ音声コーデックを搭載し音声信号を例えば１２．２ｋｂｐｓのビットレートで圧縮符号化してビットストリームを生成する。
【０１０５】
携帯端末１５５は、さらに前記ビットストリームをＲＴＰパケットに格納し、ＲＴＰパケットを生成した上で、ＩＭＳネットワーク上の第２のゲートウェイ装置１３９に接続し、前記ＲＴＰパケットをＵＤＰ／ＩＰ上で送受信する。
【０１０６】
ここで、ＡＭＲビットストリームをＲＴＰパケット化する場合に、ＲＴＰペイロードフォーマットが必要である。ＲＴＰペイロードフォーマットについては、例えば、ＩＥＴＦ  ＲＦＣ３２６７規格を参照することができる。また、このような端末の音声通信機能の詳細については、例えば３ＧＰＰ  ＴＳ２６．１１４規格を参照することができる。
【０１０７】
上記第３の実施例において、音声の圧縮符号化ビットストリームの生成に使用する音声コーデックは、前記したＡＭＲ以外にＡＭＲ−ＷＢやＧ．７１１等、他の周知なコーデックを使用することができる。
【０１０８】
また、フェムトセルアクセスポイント又はＨＮＢ又はＨｅＮＢ１４５から送受信される呼制御信号や、音声圧縮符号化ストリームを格納するプロトコルは、他の周知なプロトコル、例えば、各々、ＧＴＰ−Ｃ（ＧＰＲＳ  Ｔｕｎｎｅｌｉｎｇ  Ｐｒｏｔｏｃｏｌ  Ｃｏｎｔｒｏｌ  Ｐｌａｎｅ）や、ＧＴＰ−Ｕ（ＧＰＲＳ  Ｔｕｎｎｅｌｉｎｇ  Ｐｒｏｔｏｃｏｌ  Ｕｓｅｒ  Ｐｌａｎｅ）等を用いることもできる。
【０１０９】
また、変換部１７０の外側のモバイル高速ネットワーク１４０側にセキュリティ変換部を追加し、パケット化したＩＰパケットに対し例えばＩＰｓｅｃ等によるセキュリティ処理を行うこともできる。
【０１１０】
また、制御・解析部１７２を変換部１７０の中に配置したが、呼制御・変換部１６０の中に配置することもできる。
【０１１１】
さらに、呼制御・変換部１６０と変換部１７０は、各々の別の装置に分離して実現することもできる。このような構成の場合は、呼制御・変換部１６０と変換部１７０の間の制御信号のやりとりには、例えば、ＩＴＵ−Ｔ  Ｈ．２４８  ＭＥＧＡＣＯ（Ｍｅｄｉａ  Ｇａｔｅｗａｙ  Ｃｏｎｔｒｏｌ）プロトコルを使用することができる。
【０１１２】
また、フェムトセルアクセスポイント又はＨＮＢ又はＨｅＮＢ１４５として、フェムトセルアクセスポイントだけでなく、ＨＮＢ（Ｈｏｍｅ  ＮｏｄｅＢ）、ＨｅＮＢ（Ｈｏｍｅ  ｅ−ＮｏｄｅＢ）等を使用することができる。
【０１１３】
なお、上記第３の実施例において、第１のゲートウェイ装置１１０の呼制御・変換部１６０、変換部１７０の各部は、第１のゲートウェイ装置１１０を構成するコンピュータ上で実行されるコンピュータプログラムによりその機能・処理を実現するようにしてもよいことは勿論である。また、第１のゲートウェイ装置１１０をサーバ装置に実装してもよいことは勿論である。
【０１１４】
＜実施例４＞
次に、本発明の第４の実施例について説明する。図６は、本発明の第４の実施例の第１のゲートウェイ装置１１０の構成を示す図である。図６において、図５と同一の要素には、同一の参照番号が付されている。以下では、図５の前記第３の実施例と同一要素の説明は省略し、相違点について説明する。
【０１１５】
図６を参照すると、本実施例においては、前記第３の実施例の変換部１７０（図５参照）が変換部２５０に置き換えられている。変換部２５０は、制御・解析部１８０と、プロトコル変換部２００と、音声トランスコーダ部１９０と、パケット送信、パケット受信部１７６を備えている。
【０１１６】
図６において、携帯端末１２０と携帯端末１５０に搭載する音声圧縮符号化方式が異なるので、第１のゲートウェイ装置１１０において、音声圧縮符号化方式を変換する。
【０１１７】
制御・解析部１８０は、呼制御・変換部１６０から入力した情報を解析し、端末間で音声圧縮符号化方式（音声コーデック）が異なる場合は、各チャネルで、音声圧縮符号化方式（音声コーデック）の変換を実施するように、プロトコル変換部２００と音声トランスコーダ部１９０の両者に変換指示を出す。
【０１１８】
音声トランスコーダ部１９０は、制御・解析部１８０からの変換指示にもとづき、音声圧縮符号化方式（音声コーデック）の変換を行う。
【０１１９】
本実施例では、例えば、モバイル回線交換ネットワーク１３０側の端末１２０には、ＡＭＲが搭載され、フェムトセルアクセスポイント又はＨＮＢ又はＨｅＮＢ１４５に接続される端末１５０には、Ｇ．７１１が搭載されている場合を想定する。この場合、音声トランスコーダ部１９０は、ＡＭＲとＧ．７１１の間の音声圧縮符号化方式（音声コーデック）の変換を実施する。
【０１２０】
プロトコル変換部２００は、制御・解析部１８０からの変換指示にもとづき、必要であればプロトコルの変換を行う。例えば、第２のゲートウェイ装置１３９に対しては、ＩｕＵＰ回線交換プロトコルに変換し、フェムトセルアクセスポイント又はＨＮＢ又はＨｅＮＢ１４５に対しては、例えばＲＴＰプロトコルに変換する。又は、ＩｕＵＰをＲＴＰペイロードに格納する。又は、ＲＴＰペイロードフォーマットを付加した上で、ＩｕＵＰプロトコルをＲＴＰペイロードに格納する。ここで、Ｇ．７１１の場合は、前記第３の実施例で述べた、ＡＭＲの場合のようなＲＴＰペイロードフォーマットは不要であり、ＲＴＰヘッダ部に、Ｇ．７１１であることを識別するための予め規格で定められたペイロードタイプ番号を書き込むのみでよい。
【０１２１】
なお、本実施例において、音声圧縮符号化ビットストリームの生成に使用する音声コーデックは、前記したＡＭＲやＧ．７１１以外に、他の周知なコーデックを使用することができる。
【０１２２】
また、フェムトセルアクセスポイント又はＨＮＢ又はＨｅＮＢ１４５から送受信される、音声圧縮符号化ストリームを格納するプロトコルは、他の周知なプロトコル、例えば、ＧＴＰ−Ｕ等を用いることもできる。
【０１２３】
また、変換部２５０のモバイル高速ネットワーク１４０への出力部に、セキュリティ変換部を追加し、パケット化したＩＰパケットに対して、例えばＩＰパケットを暗号化して送受するＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）等によるセキュリティ処理を行うこともできる。
【０１２４】
本実施例では、制御・解析部１８０を変換部２５０の中に配置したが、呼制御・変換部１６０の中に配置することもできる。
【０１２５】
さらに、本実施例では、呼制御・変換部１６０と変換部２５０は、おのおの別の装置に分離して配置させることもできる。このような構成の場合は、呼制御・変換部１６０と変換部２５０の間の制御信号のやりとりは、例えば、ＩＴＵ−Ｔ  Ｈ．２４８  ＭＥＧＡＣＯプロトコルを使用することができる。
【０１２６】
また、フェムトセルアクセスポイントは、ＨＮＢ（Ｈｏｍｅ  ＮｏｄｅＢ）、ＨｅＮＢ（Ｈｏｍｅ  ｅ−ＮｏｄｅＢ）に接続することができる。
【０１２７】
上記第４の実施例において、第１のゲートウェイ装置１１０の呼制御・変換部１６０、変換部２５０の各部は、第１のゲートウェイ装置１１０を構成するコンピュータ上で実行されるコンピュータプログラムによりその機能・処理を実現するようにしてもよいことは勿論である。また、第１のゲートウェイ装置１１０をサーバ装置に実装してもよいことは勿論である。
【０１２８】
次に、図４の第２のゲートウェイ装置１３９について説明する。図７は、第２のゲートウェイ装置１３９の構成の一例を示す図である。なお、第２のゲートウェイ装置１３９は、モバイル回線交換ネットワーク１３０とＩＭＳネットワーク１３１の音声通信の相互接続を可能とするものであればよく、本発明において、図７の構成にのみ限定されるものでないことは勿論である。
【０１２９】
図７を参照すると、第２のゲートウェイ装置１３９は、モバイル回線交換ネットワーク１３０とＩＭＳネットワーク１３１との間に配置され、音声通信を相互接続し、呼制御・変換部３６０と変換部３７０を備えている。呼制御・変換部３６０は、ＩＭＳネットワーク１３１から呼制御信号（例えばＳＩＰ（Ｓｅｓｓｉｏｎ  Ｉｎｉｔｉａｔｉｏｎ  Ｐｒｏｔｏｃｏｌ）及びＳＤＰ（Ｓｅｓｓｉｏｎ  Ｄｅｓｃｒｉｐｔｉｏｎ  Ｐｒｏｔｏｃｏｌ））を受信し、回線交換の呼制御信号に変換して、モバイル回線交換ネットワーク１３０の無線基地局制御装置（ＲＮＣ）１３８、第１のゲートウェイ装置１１０に出力する。また、呼制御・変換部３６０は、モバイル回線交換ネットワーク１３０の無線基地局制御装置（ＲＮＣ）１３８、又は第１のゲートウェイ装置１１０から受信した回線交換の呼制御信号を、例えばＳＩＰやＳＤＰ信号に変換してＩＭＳネットワーク１３１に出力する。ここで、ＳＩＰやＳＤＰについては、例えばＩＥＴＦ（ｔｈｅ  Ｉｎｔｅｒｎｅｔ  Ｅｎｇｉｎｅｅｒｉｎｇ  Ｔａｓｋ  Ｆｏｒｃｅ）  ＲＦＣ３２６１やＲＦＣ２３２７などをそれぞれ参照できる。
【０１３０】
呼制御・変換部３６０は、ＩＭＳネットワーク１３１の接続される携帯端末１５５（ＩＭＳネットワーク１３１の先にゲートウェイ装置（不図示）を介して接続するモバイル回線交換ネットワーク等に接続する携帯端末も含む）のロケーションに関する情報を受信し、携帯端末１５５の移動により第２のゲートウェイ装置１３９からＩＭＳネットワーク１３１側に送出する該当チャネルのパケットのＩＰアドレスが変更になるか否かを判別するようにしてもよい。そして、該当チャネルのパケットのＩＰアドレスが変更になる場合には、呼制御・変換部３６０は、送出先ＩＰアドレス変更指示をパケット送信、パケット受信部３７６に出力する。
【０１３１】
呼制御・変換部３６０は、モバイル回線交換ネットワーク１３０の無線基地局制御装置（ＲＮＣ）１３８又は第１のゲートウェイ装置１１０から入力した呼制御信号に含まれる情報と、ＩＭＳネットワーク１３１から入力した呼制御信号（ＳＩＰ又はＳＤＰ）に含まれる情報のうち所定の情報をチャネル（回線）毎に、変換部３７０の制御・解析部３７２に出力する。
【０１３２】
制御・解析部３７２は、呼制御・変換部３６０から入力したチャネルごとの情報を比較して、プロトコル変換の必要の有無を判別する。プロトコル変換が必要な場合に、制御・解析部３７２は、どのような変換をするかを示す変換情報を、チャネル毎に、プロトコル変換部３７５に出力する。プロトコル変換部３７５は、モバイル回線交換ネットワーク１３０からＩｕＵＰ回線交換プロトコルを入力して、プロトコルに格納されている音声の圧縮符号化ビットストリームを読み出す。ここでは、音声の圧縮符号化ビットストリームをＡＭＲで圧縮符号化されたビットストリームとする。
【０１３３】
さらに、プロトコル変換部３７５は、変換情報を制御・解析部３７２からチャネル毎に入力し、プロトコル変換が必要な場合、ＡＭＲ圧縮符号化ビットストリームを、変換情報に従い、例えばチャネル毎に、ＩＥＴＦ  ＲＦＣ３２６７で規定されるＲＴＰ（Ｒｅａｌ−ｔｉｍｅ  Ｔｒａｎｓｐｏｒｔ  Ｐｒｏｔｏｃｏｌ）ペイロードフォーマットヘッダを構築した上で、ペイロード部分に、前記ＡＭＲ圧縮符号化ビットストリームを格納する。ここで、ＡＭＲ圧縮音声符号化ビットストリームに含まれるフレームタイプ情報は、ビットレートを表すので、ＲＦＣ３２６７のコーデック・モードリクエスト（ＣＭＲ）情報に変換する。さらにＲＦＣ３２６７でオクテットアラインや他の必要なパラメータを、予め定められた設定値に設定する。
【０１３４】
パケット送信、パケット受信部３７６は、プロトコル変換部３７５から前記ＲＴＰペイロードフォーマット情報を入力してＲＴＰパケットに格納する。パケット送信、パケット受信部３７６は、さらに端末が移動してＩＰアドレスが変更になる場合には、変更後のＩＰアドレスを、制御・解析部３７２から入力し、ＩＰアドレスが変更にならない場合には、これまでのＩＰアドレスを使用し、当該ＩＰアドレスあてに、ＲＴＰ／ＵＤＰ（Ｕｓｅｒ  Ｄａｔａｇｒａｍ  Ｐｒｏｔｏｃｏｌ）／ＩＰ（Ｉｎｔｅｒｎｅｔ  Ｐｒｏｔｏｃｏｌ）を送出する。
【０１３５】
また、呼制御・変換部３６０は、ＩＭＳネットワーク１３１にゲートウェイ装置（不図示）を介して相互接続されるモバイル回線交換ネットワーク（不図示）に接続する携帯端末１５５のロケーションに関する情報を受信し、携帯端末１５５の移動によりＩＭＳネットワーク１３１側から受信する該当チャネルのパケットの送出元ＩＰアドレスが変更になるか否かを判別する。送出元ＩＰアドレスが変更になる場合は、呼制御・変換部３６０は、送出元ＩＰアドレス変更指示をパケット送信、パケット受信部３７６に出力する。パケット送信、パケット受信部３７６はＩＭＳネットワーク１３１からパケットを受信する。携帯端末１５５が移動することにより、送出元ＩＰアドレスが変更になる場合、パケット送信、パケット受信部３７６は、変更後のＩＰアドレスを入力し、受信元の方路を切り替えた上で、ＲＴＰ／ＵＤＰ／ＩＰパケットを受信する。
【０１３６】
そしてパケット送信、パケット受信部３７６で受信したＲＴＰパケットはプロトコル変換部３７５に入力され、プロトコル変換部３７５からモバイル回線交換ネットワーク１３０の無線基地局制御装置（ＲＮＣ）１３８、第１のゲートウェイ装置１１０に出力される。なお、図７において、プロトコル変換部３７５とパケット送信、パケット受信部３７６の間に音声コーデックを備えた構成としてもよい。なお、図７において、一つ前のＳＮ（シーケンス番号）又はＴＳ（タイムスタンプ）を保持しておき、端末が移動してＩＰアドレスが変更になった場合には、制御・解析部３７２から移動完了通知を入力し、移動完了通知時に異なるＩＰアドレスあてに送出するＲＴＰパケットのＳＮ又はＴＳが前記保持しておいたＳＮ又はＴＳよりも過去にさかのぼったり、同じ値になったりせずに、連続的に変化するように、移動完了通知以降において、必要であれば、ＳＮ又はＴＳの変更（付け替え）を行なうＳＮ・ＴＳ変更部は省略されている。また、パケット送信、パケット受信部３７６からＲＴＰパケットを入力し、ＲＴＰパケットのジッタ（遅延のゆらぎ）を取り除くジッタバッファ部も省略されている。
【０１３７】
本発明によれば、モバイル回線交換ネットワークとＩＭＳネットワークとを相互接続するゲートウェイ装置（第２のゲートウェイ装置）に接続された携帯端末と、フェムトセルアクセスポイント又はＨＮＢ又はＨｅＮＢに接続された端末との間で、音声通信や、これらの端末の少なくとも一方との音声通信を可能にし、どのような接続の組み合わせであっても、端末を改造することなく、音声通信の相互接続を実現することができる。
【０１３８】
また、本発明によれば、前記端末同士で音声の圧縮符号化方式が異なる場合であっても、ゲートウェイ装置で音声圧縮符号化方式も変換することにより、端末を改造することなく、音声通信の相互接続を実現することができる。
【０１３９】
さらに、本発明によれば、ゲートウェイ装置内のパケット化処理のモバイル高速ネットワーク側にセキュリティ処理を追加することにより、セキュリティ機能を強化し安全かつ信頼性能高い通信を実現することができる。
【０１４０】
なお、上記の特許文献の各開示を、本書に引用をもって繰り込むものとする。本発明の全開示（請求の範囲を含む）の枠内において、さらにその基本的技術思想に基づいて、実施例ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【０１４１】
上記の通り、以下の発明（実施形態）が付記される。
［付記１］
設置されたアクセスポイントをモバイル回線交換ネットワーク上の回線交換機に接続し音声通信を行うゲートウェイ装置であって、
前記アクセスポイントから、呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換して前記回線交換機に出力し、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、
ことを特徴とするゲートウェイ装置。
【０１４２】
［付記２］
音声信号に対して音声圧縮符号化方式を変換する変換部を有する、ことを特徴とする付記１に記載のゲートウェイ装置。
【０１４３】
［付記３］
前記モバイル高速ネットワークとパケットのやりとりをするためにセキュリティ機能を強化する手段を含む、ことを特徴とする付記１又は２に記載のゲートウェイ装置。
【０１４４】
［付記４］
前記モバイル高速ネットワーク上のアクセスポイントは、フェムトセル、Ｈｏｍｅ  ＮｏｄｅＢ、Ｈｏｍｅ  ｅＮｏｄｅＢのうちの少なくとも１つを含む、ことを特徴とする付記１乃至３のいずれか１に記載のゲートウェイ装置。
【０１４５】
［付記５］
呼制御・変換部と変換部とを備え、
前記変換部は、制御・解析部と、プロトコル変換部と、パケット化部とを備え、
前記呼制御・変換部は、モバイル回線交換ネットワーク上の回線交換機から受信した無線基地局制御装置（ＲＮＣ）に接続するための呼制御信号を、前記アクセスポイントの呼制御信号に変換して前記アクセスポイントに出力し、
前記アクセスポイントから呼制御信号を受信し、前記無線基地局制御装置が前記回線交換機に接続するときに使用するプロトコルと同一のプロトコルに変換して、前記回線交換機に出力し、さらに、前記アクセスポイントから入力した呼制御信号に含まれる情報と、前記アクセスポイントから入力した呼制御信号に含まれる情報のうち所定情報をチャネルに対応させて前記制御・解析部に出力し、
前記制御・解析部は、前記呼制御・変換部からチャネル毎に前記情報を入力しプロトコル変換が必要であるか否かを判別し、
プロトコル変換が必要な場合に、変換内容を規定した変換情報をチャネル毎に前記プロトコル変換部に出力し、
前記プロトコル変換部は、前記変換情報にしたがって、前記回線交換機から回線交換プロトコルフレームと、前記アクセスポイントの前記パケットのプロトコルまたはペイロードフォーマットとの間の変換を行い、
前記パケット化部は、前記プロトコル変換部からペイロードフォーマット情報を入力してパケット化して出力する、ことを特徴とする付記１乃至４のいずれか１に記載のゲートウェイ装置。
【０１４６】
［付記６］
設置されたアクセスポイントをモバイル回線交換ネットワーク上の回線交換機に接続し音声通信を行うゲートウェイ方法であって、
前記アクセスポイントから、予め定められたプロトコルによる呼制御信号と、
音声データを予め定められたプロトコルまたはペイロードフォーマットにより格納したパケットと、
のうちの少なくとも一方を受信し、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換し、
前記モバイル回線交換ネットワーク上の回線交換機に出力し、
前記モバイル回線交換ネットワーク上の回線交換機から、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する、
ことを特徴とするゲートウェイ方法。
【０１４７】
［付記７］
音声信号に対して音声圧縮符号化方式を変換する、ことを特徴とする付記６に記載のゲートウェイ方法。
【０１４８】
［付記８］
モバイル高速ネットワークとパケットのやりとりをするためにセキュリティ機能を強化する、ことを特徴とする付記６又は７に記載のゲートウェイ方法。
【０１４９】
［付記９］
設置されたアクセスポイントをモバイル回線交換ネットワーク上の回線交換機に接続し音声通信を行うゲートウェイ装置を構成するコンピュータに、
前記アクセスポイントから、呼制御信号と、
音声データを予め定められたプロトコルまたはペイロードフォーマットにより格納したパケットと、
のうちの少なくとも一方を受信する処理と、
前記呼制御信号のプロトコルと、
前記パケットのプロトコルまたはペイロードフォーマットと、
のうちの少なくとも一方を、
無線基地局制御装置（ＲＮＣ）が前記回線交換機に接続するときに使用する回線交換プロトコルと同一のプロトコルに変換して前記回線交換機に出力する処理と、
前記回線交換機が前記無線基地局制御装置に出力するときに使用するプロトコルと同一のプロトコルを使用した呼処理信号と、
前記同一のプロトコルを使用した音声信号と、
のうちの少なくとも一方を入力し、
入力した前記呼処理信号と前記音声信号の少なくとも一方のプロトコルを変換した上で、前記アクセスポイントに出力する処理と、
を実行させるプログラム（該プログラムを記憶したコンピュータ読み出し可能な記録媒体）。
【０１５０】
［付記１０］
音声信号に対して音声圧縮符号化方式を変換する処理を前記コンピュータに実行させる付記９に記載のプログラム（該プログラムを記憶したコンピュータ読み出し可能な記録媒体）。
【０１５１】
［付記１１］
モバイル高速ネットワークとパケットのやりとりをするためにセキュリティ機能を強化する処理を前記コンピュータに実行させる付記９又は１０に記載のプログラム。
【０１５２】
［付記１２］
フェムトセルアクセスポイント又はホームノードＢ又はホームイーノードＢを、モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置に接続するゲートウェイ装置であって、
前記フェムトセルアクセスポイント又はホームノードＢ又はホームイーノードＢから、
呼制御信号と、
音声データを予め定められたプロトコル又はペイロードフォーマットにより格納したパケットと、
のうちの少なくとも一方を受信し、
前記呼制御信号と、前記プロトコル又は前記ペイロードフォーマットと、
のうちの少なくとも一つに対し、変換の必要ありと判断される場合には、前記少なくとも一つに対して変換を行い、無線基地局制御装置（ＲＮＣ）が前記第２のゲートウェイ装置に接続するときに用いる回線交換プロトコルと同一のプロトコルにより、前記第２のゲートウェイ装置に出力し、
前記第２のゲートウェイ装置から、
前記第２のゲートウェイ装置が前記無線基地局制御装置（ＲＮＣ）に出力するときに用いるプロトコルと同一のプロトコルを用いた呼処理信号と、
前記同一のプロトコルを用いて格納された音声信号と、
のうちの少なくとも一方を入力し、
入力した前記呼制御信号と、前記音声信号のプロトコルとのうち少なくとも一つに対し、変換の必要ありと判断される場合には、前記少なくとも一つを変換した上で、前記アクセスポイント又は前記ホームノードＢ又は前記ホームイーノードＢに出力する、ことを特徴とするゲートウェイ装置。
【０１５３】
［付記１３］
音声信号に対して音声圧縮符号化方式を変換する変換部を有する、ことを特徴とする付記１２に記載のゲートウェイ装置。
【０１５４】
［付記１４］
前記モバイル高速ネットワークとパケットのやりとりをするためにセキュリティ機能を強化する手段を含む、ことを特徴とする付記１２又は１３に記載のゲートウェイ装置。
【０１５５】
［付記１５］
付記１２乃至１４のいずれか１に記載の前記ゲートウェイ装置として機能するサーバ装置。
【０１５６】
［付記１６］
フェムトセルアクセスポイント又はホームノードＢ又はホームイーノードＢを、モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置に接続するゲートウェイ装置が、
前記アクセスポイント又は前記ホームノードＢ又は前記ホームイーノードＢから、
呼制御信号と、
音声データを予め定められたプロトコル又はペイロードフォーマットにより格納したパケットと、
のうちの少なくとも一方を受信し、
前記呼制御信号と、前記プロトコル又は前記ペイロードフォーマットと、
のうちの少なくとも一つに対し、変換の必要ありと判断される場合には、前記少なくとも一つに対して変換を行い、
無線基地局制御装置（ＲＮＣ）が前記第２のゲートウェイ装置に接続するときに用いる回線交換プロトコルと同一のプロトコルにより、前記第２のゲートウェイ装置に出力し、
前記第２のゲートウェイ装置から、
前記第２のゲートウェイ装置が前記無線基地局制御装置（ＲＮＣ）に出力するときに用いるプロトコルと同一のプロトコルを用いた呼処理信号と、
前記同一のプロトコルを用いて格納された音声信号と、
のうちの少なくとも一方を入力し、
入力した前記呼制御信号と、前記音声信号のプロトコルとのうち少なくとも一つに対し、変換の必要ありと判断される場合には、前記少なくとも一つを変換した上で、前記アクセスポイント又は前記ホームノードＢ又は前記ホームイーノードＢに出力する、ことを特徴とするゲートウェイ方法。
【０１５７】
［付記１７］
音声信号に対して音声圧縮符号化方式を変換する変換部を有する、ことを特徴とする付記１６に記載のゲートウェイ方法。
【０１５８】
［付記１８］
前記モバイル高速ネットワークとパケットのやりとりをするためにセキュリティ機能を強化する手段を含む、ことを特徴とする付記１６又は１７に記載のゲートウェイ方法。
【０１５９】
［付記１９］
フェムトセルアクセスポイント又はホームノードＢ又はホームイーノードＢを、モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置に接続する、ゲートウェイ装置又はサーバ装置を構成するコンピュータに、
前記アクセスポイント又は前記ホームノードＢ又は前記ホームイーノードＢから、
呼制御信号と、
音声データを予め定められたプロトコル又はペイロードフォーマットにより格納したパケットと、
のうちの少なくとも一方を受信する処理と、
前記呼制御信号と、前記プロトコル又は前記ペイロードフォーマットと、
のうちの少なくとも一つに対し、変換の必要ありと判断される場合には、前記少なくとも一つに対して変換を行い、無線基地局制御装置（ＲＮＣ）が前記第２のゲートウェイ装置に接続するときに用いる回線交換プロトコルと同一のプロトコルにより、前記第２のゲートウェイ装置に出力する処理と、
前記第２のゲートウェイ装置から、
前記第２のゲートウェイ装置が前記無線基地局制御装置（ＲＮＣ）に出力するときに用いるプロトコルと同一のプロトコルを用いた呼処理信号と、
前記同一のプロトコルを用いて格納された音声信号と、
のうちの少なくとも一方を入力し、
入力した前記呼制御信号と、前記音声信号のプロトコルとのうち少なくとも一つに対し、変換の必要ありと判断される場合には、前記少なくとも一つを変換した上で、前記アクセスポイント又は前記ホームノードＢ又は前記ホームイーノードＢに出力する処理と、
を実行させるプログラム（該プログラムを記憶したコンピュータ読み出し可能な記録媒体）。
【０１６０】
［付記２０］
音声信号に対して音声圧縮符号化方式を変換する変換処理を前記コンピュータに実行させる付記１９に記載のプログラム（該プログラムを記憶したコンピュータ読み出し可能な記録媒体）。
【０１６１】
［付記２１］
前記モバイル高速ネットワークとパケットのやりとりをするためにセキュリティ機能を強化する処理を前記コンピュータに実行させる付記１９又は２０に記載のプログラム。
【０１６２】
［付記２２］
モバイル高速ネットワークに接続された、フェムトセルアクセスポイント又はホームノードＢ又はホームイーノードＢを、
モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置に接続するゲートウェイ装置であって、
前記フェムトセルアクセスポイント又はホームノードＢ又はホームイーノードＢを、前記モバイル回線交換ネットワーク上の前記第２のゲートウェイ装置からみて、前記モバイル回線交換ネットワーク上の無線基地局制御装置（ＲＮＣ）と同じ動作にみえるように、プロトコル変換した上で前記第２のゲートウェイ装置に接続し、
前記フェムトセルアクセスポイント又はホームノードＢ又はホームイーノードＢに接続された第１の端末と、
前記モバイル回線交換ネットワークの前記無線基地局制御装置（ＲＮＣ）を介して前記第２のゲートウェイ装置に接続された第２の端末と、
前記ＩＭＳネットワークを介して前記第２のゲートウェイ装置に接続された第３の端末と、
の間で、音声通信の相互接続を実現する、ゲートウェイ装置。
【０１６３】
［付記２３］
前記フェムトセルアクセスポイント又はホームノードＢ又はホームイーノードＢから、
前記モバイル高速ネットワークによるベアラ上に、予め定められたプロトコルによる呼制御信号と、音声データを予め定められたプロトコル又はペイロードフォーマットにより格納したパケットと、のうちの少なくとも一方を受信し、
受信した前記呼制御信号のプロトコルと、前記パケットのプロトコル又はペイロードフォーマットと、の少なくとも一方について、変換が必要と判断した場合に、前記少なくとも一方を、モバイル回線交換プロトコルに変換して、前記第２のゲートウェイ装置に出力し、
前記第２のゲートウェイ装置から、
前記モバイル回線交換プロトコルによる呼処理信号と、前記モバイル回線交換プロトコルによる音声信号と、のうちの少なくとも一方を入力し、
変換が必要と判断した場合、前記少なくとも一方をプロトコル変換した上で、前記モバイル高速ネットワークによるベアラにのせた上で、前記モバイル高速ネットワークに接続された前記フェムトセルアクセスポイント又はホームノードＢに出力する、付記２２記載のゲートウェイ装置。
【０１６４】
［付記２４］
モバイル高速ネットワークに接続されたフェムトセルアクセスポイント又はホームノードＢ又はホームイーノードＢを、モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置に接続する第１のゲートウェイ装置によるゲートウェイ方法であって、
前記第１のゲートウェイ装置は、前記フェムトセルアクセスポイント又はホームノードＢ又はホームイーノードＢを、前記モバイル回線交換ネットワーク上の前記第２のゲートウェイ装置からみて、前記モバイル回線交換ネットワーク上の無線基地局制御装置（ＲＮＣ）と同じ動作にみえるように、プロトコル変換した上で、前記第２のゲートウェイ装置に接続し、
前記フェムトセルアクセスポイント又はホームノードＢ又はホームイーノードＢに接続された第１の端末と、
前記モバイル回線交換ネットワークの前記無線基地局制御装置（ＲＮＣ）を介して前記第２のゲートウェイ装置に接続された第２の端末と、
前記ＩＭＳネットワークを介して前記第２のゲートウェイ装置に接続された第３の端末と、
の間で、音声通信の相互接続を実現する、ゲートウェイ方法。
【０１６５】
［付記２５］
前記第１のゲートウェイ装置は、
前記フェムトセルアクセスポイント又はホームノードＢ又はホームイーノードＢから、
前記モバイル高速ネットワークによるベアラ上に、予め定められたプロトコルによる呼制御信号と、音声データを予め定められたプロトコル又はペイロードフォーマットにより格納したパケットと、のうちの少なくとも一方を受信し、
受信した前記呼制御信号のプロトコルと、前記パケットのプロトコル又はペイロードフォーマットと、の少なくとも一方について、変換が必要と判断した場合に、前記少なくとも一方を、モバイル回線交換プロトコルに変換して、前記第２のゲートウェイ装置に出力し、
前記第１のゲートウェイ装置は、
前記第２のゲートウェイ装置から、
前記モバイル回線交換プロトコルによる呼処理信号と、前記モバイル回線交換プロトコルによる音声信号と、のうちの少なくとも一方を入力し、
変換が必要と判断した場合、前記少なくとも一方をプロトコル変換した上で、前記モバイル高速ネットワークによるベアラにのせた上で、前記モバイル高速ネットワークに接続された前記フェムトセルアクセスポイント又はホームノードＢに出力する、付記２４記載のゲートウェイ方法。
【０１６６】
［付記２６］
モバイル回線交換ネットワークとＩＭＳ（ＩＰ  Ｍｕｌｔｉｍｅｄｉａ  Ｓｕｂｓｙｓｔｅｍ）ネットワークとを相互接続する第２のゲートウェイ装置と、
モバイル高速ネットワークに接続されたフェムトセルアクセスポイント又はホームノードＢ又はホームイーノードＢを、前記モバイル回線交換ネットワーク上の前記第２のゲートウェイ装置からみて、前記モバイル回線交換ネットワーク上の無線基地局制御装置（ＲＮＣ）と同じ動作にみえるように、プロトコル変換した上で前記第２のゲートウェイ装置に接続する第１のゲートウェイ装置と、
を備え、
前記フェムトセルアクセスポイント又はホームノードＢ又はホームイーノードＢに接続された第１の端末と、
前記モバイル回線交換ネットワーク上の前記無線基地局制御装置（ＲＮＣ）を介して前記第２のゲートウェイ装置に接続された第２の端末と、
前記ＩＭＳネットワークを介して前記第２のゲートウェイ装置に接続された第３の端末との間で、音声通信の相互接続を実現する、ネットワークシステム。
【０１６７】
［付記２７］
前記第１のゲートウェイ装置は、
前記フェムトセルアクセスポイント又はホームノードＢ又はホームイーノードＢから、
前記モバイル高速ネットワークによるベアラ上に、予め定められたプロトコルによる呼制御信号と、音声データを予め定められたプロトコル又はペイロードフォーマットにより格納したパケットと、のうちの少なくとも一方を受信し、
受信した前記呼制御信号のプロトコルと、前記パケットのプロトコル又はペイロードフォーマットと、の少なくとも一方について、変換が必要と判断した場合に、前記少なくとも一方を、モバイル回線交換プロトコルに変換して、前記第２のゲートウェイ装置に出力し、
前記第１のゲートウェイ装置は、
前記第２のゲートウェイ装置から、
前記モバイル回線交換プロトコルによる呼処理信号と、前記モバイル回線交換プロトコルによる音声信号と、のうちの少なくとも一方を入力し、
変換が必要と判断した場合、前記少なくとも一方をプロトコル変換した上で、前記モバイル高速ネットワークによるベアラにのせた上で、前記モバイル高速ネットワークに接続された前記フェムトセルアクセスポイント又はホームノードＢに出力する、付記２６記載のネットワークシステム。
【符号の説明】
【０１６８】
１１０  ゲートウェイ装置
１２０、１５０  携帯端末
１３０  モバイル回線交換ネットワーク
１３５  回線交換機
１３８  無線基地局制御装置（ＲＮＣ）
１３９  第２のゲートウェイ装置
１４０  モバイル高速ネットワーク
１４５  フェムトセルアクセスポイント又はホームノードＢ（ＨＮＢ）又はホームイーノードＢ（ＨｅＮＢ）
１６０、３６０  呼制御・変換部
１７０、２５０、３７０  変換部
１７２、１８０、３７２  制御・解析部
１７５、２００、３７５  プロトコル変換部
１７６  パケット化部（パケット送信、パケット受信部）
３７６  パケット送信、パケット受信部
１９０  音声トランスコーダ部
【図１】
0005545224.tif 000002
【図２】
0005545224.tif 000003
【図３】
0005545224.tif 000004
【図４】
0005545224.tif 000005
【図５】
0005545224.tif 000006
【図６】
0005545224.tif 000007
【図７】
0005545224.tif 000008